(57)【特許請求の範囲】
【請求項１】
先端部にフィンガコンタクトおよびバットコンタクトを有するブレードがヒンジ座を介してそれぞれ取り付けられた一対の支柱を、ベースの両端に回転可能に支持し、電線が接続された端子台を前記ブレードに電気的に接続するとともに、前記ヒンジ座に対して回転可能に支持し、前記支柱を往復回動させて前記フィンガコンタクト及び前記バットコンタクトを接離することにより、閉路あるいは開路操作をする水平一点切断路器において、
前記端子台が断路器開路時に、電線が接続された前記端子台が前記ブレードの閉路時における長手方向に対し
て約９０°の角度を越えて回転しないように規制する端子台ストッパを前記ヒンジ座に設けた、ことを特徴とする水平一点切断路器。
【発明の詳細な説明】
【０００１】
【発明の属する技術分野】
本発明は、水平一点切断路器に関する。
【０００２】
【従来の技術】
従来の水平一点切断路器は、図３に示すように、ベース１の両端には一対の支柱２ａ，２ｂが、各々このベース１に対して垂直に起立して回転可能に支持される。支柱２ａ，２ｂの上端にはヒンジ座３ａ，３ｂが固定されており、先端部にフィンガコンタクト４ａ及びバットコンタクト４ｂをそれぞれ有するブレード５ａ，５ｂの基端部が、ヒンジ座３ａ，３ｂに片持梁状に支持される。外部電線２０ａ，２０ｂが接続される端子台６ａ，６ｂを有する通電筒７ａ，７ｂは、可撓導体８ａ，８ｂを介してブレード５ａ，５ｂに電気的に接続され、かつ支柱２ａ，２ｂの軸心を中心にして回転可能に形成される。
【０００３】
支柱２ａ，２ｂ間は操作リンク９により連結されると共に、支柱２ａには駆動機構１０ａを介して、操作ロッド１０の一端が接続される。操作ロッド１０の他端には操作装置１１が接続される。
【０００４】
次に、かかる断路器の動作を説明する。
図３における実線は断路器の開放状態を示している。この状態から断路器を閉路操作するときには、操作装置１１を起動する。この駆動力は操作ロッド１０に伝達され、さらに駆動機構１０ａを介して支柱２ａに伝達されて、この支柱２ａが時計方向に回動する。
【０００５】
この結果、ブレード５ａが支柱２ａと一体となって時計方向に回動するとともに、この支柱２ａの回転は操作リンク９によって支柱２ｂに伝達されて、支柱２ｂが反時計方向に回動する。従って、ブレード５ａ及び５ｂは各々反対方向に観音扉式に水平に回動し、フィンガコンタクト４ａ及びバットコンタクト４ｂが互いに接触するとともに、ブレード５ａ及び５ｂが一直線となる状態になったときに、操作装置１１が停止して、閉路動作が終了する。
【０００６】
図３における二点鎖線はこの閉路状態を示すもので、この状態においては、電線２０ａから、端子台６ａ、通電筒７ａ、可撓導体８ａ、ブレード５ａ、フィンガコンタクト４ａ、バットコンタクト４ｂ、ブレード５ｂ、可撓導体８ｂ、通電筒７ｂおよび端子台６ｂを経て、電線２０ｂに至る通電経路が形成される。
【０００７】
一方、開路操作については、上記閉路操作と全く逆の操作をすればよいので、その説明は省略する。
【０００８】
【発明が解決しようとする課題】
上記従来の水平一点切断路器においては、端子台６ａ，６ｂに接続される電線２０ａ，２０ｂは風圧力・電磁力・地震力等の外力を受けるので、その外力が水平一点切断路器に作用しないようにするために、図２に示す如く、裕度を持って接続される。
【０００９】
しかし、電線２０ａ，２０ｂが接続される端子台６ａ，６ｂを有する通電筒７ａ，７ｂと、支柱２ａ，２ｂ上端のヒンジ座３ａ，３ｂに固着されたブレード５ａ，５ｂとは、可撓導体８ａ，８ｂにて電気的に接続され、かつ通電筒７ａ，７ｂは支柱２ａ，２ｂの軸心を中心にしてヒンジ座３ａ，３ｂ上を回転自在に取り付けられているため、電線２０ａ，２０ｂの接続点Ｐが端子台６ａ，６ｂの端よりも断路器の極間方向にある場合には、風圧力・電磁力・地震力等の外力により、図２の二点鎖線に示す如く、反対極側に電線２０ａ，２０ｂが回り込み、開路状態では反対極との絶縁が確保できず、短絡事故を起こす恐れがある。
【００１０】
そこで本発明は、断路器の開路状態で、風圧力・電磁力・地震力等の外力が作用しても、端子台に接続されている電線が断路器の極間方向に回り込むことを規制することにより、短絡事故を防止することを目的とする。
【００１１】
【課題を解決するための手段】
本発明では、先端部にフィンガコンタクトおよびバットコンタクトを有するブレードがヒンジ座を介してそれぞれ取り付けられた一対の支柱を、ベースの両端に回転可能に支持し、電線が接続された端子台を前記ブレードに電気的に接続するとともに、前記ヒンジ座に対して回転可能に支持し、前記支柱を往復回動させて前記フィンガコンタクト及び前記バットコンタクトを接離することにより、閉路あるいは開路操作をする水平一点切断路器において、前記端子台が断路器開路時に、前記ブレードの閉路時における長手方向に対して約９０°の角度を越えて回転しないように規制する端子台ストッパを前記ヒンジ座に設ける。
【００１２】
【発明の実施の形態】
図１は本発明の水平一点切断路器の実施の形態の一例を示すものである。
ヒンジ座３ａ，３ｂには、端子台６ａ，６ｂが断路器開路時に、ブレード５ａ，５ｂの閉路時における長手方向に対して約９０°の角度を越えて回動しないように規制する端子台ストッパ１５がそれぞれ設けられる。すなわち、端子台ストッパ１５はヒンジ座３ａ，３ｂの上面から上方に突出するとともに、端子台６ａ，６ｂが約９０°回転したときに、端子台６ａ，６ｂの長手方向端面が当接するように配設される。
なお、他の部分については上記従来の水平一点切断路器と全く同様に構成される。
【００１３】
かかる水平一点切断路器においては、裕度を持って接続された電線２０ｂが風圧力・電磁力・地震力等の外力を受けた場合、図２の二点鎖線に示す如く、断路器の極間方向に回転する力が発生し、ブレード５ｂの閉路時における長手方向に対して約９０°までは、端子台６ｂおよび通電筒７ｂがともに回転する。しかし、その先は、ヒンジ座３ｂの上面に取り付けられた一対の端子台ストッパ１５が、端子台６ｂの長手方向端面を規制するため、裕度をもって接続された電線２０ｂが水平一点切断路器の極間方向に回り込み、極間絶縁を脅かすことはない。
【００１４】
なお、上記実施の形態では、一方の電線２０ｂに外力が作用した場合についてのみ説明したが、他方の電線２０ａに外力が作用した場合についても同様であるため、その説明は省略する。
【００１５】
【発明の効果】
本発明によれば、電線接続点が端子台の端より極間方向にある場合に、電線に加わる風圧力・電磁力・地震力等の外力により、電線が断路器の極間方向に回り込むことが端子台ストッパによって規制されるので、短絡事故を防止することができる。
【図面の簡単な説明】
【図１】本発明の水平一点切断路器の実施の形態の一例を示すもので、（ａ）は平面図、（ｂ）は（ａ）の正面図である。
【図２】その電線接続の一例を示す図である。
【図３】従来の水平一点切断路器の一例を示す斜視図である。
【符号の説明】
３ａ，３ｂ        ヒンジ座
５ａ，５ｂ        ブレード
６ａ，６ｂ        端子台
７ａ，７ｂ        通電筒
８ａ，８ｂ        可撓導体
１５              端子台ストッパ
２０ａ，２０ｂ    電線
Ｐ            電線接続点
【図１】
0004046308.tif 000002
【図２】
0004046308.tif 000003
【図３】
0004046308.tif 000004